(57)【要約】【課題】灰皿の一部を遊技機本体側に収納して不使用状態にロックすることで、不使用状態の灰皿が遊技者に使用状態とされるのを確実に防止する。【解決手段】灰皿７は、遊技機前面下部の取付部５１の左右から前方にそれぞれ突出する支持部材５２，５３に回転自在に支持されている。灰皿７には、左右に突出する軸部２５が設けられ、支持部材５２，５３には、軸部２５を回転自在に支持し、かつ、前後に延在するスリット５７，５７が設けられている。取付部５１は、左右の支持部材５２，５３の基端部同士の間に取付開口部５４が設けられている。灰皿７を１８０度回転させて裏返した状態で、灰皿７の取付部５１側を取付開口部５４に挿入する。そして、取付部５１に取り付けられた係止部材６３を灰皿７に係止させて、灰皿７を回転、前後動不可とすることで、灰皿７を不使用状態に固定できる。【選択図】図１６
2008142422.tif 000002
【特許請求の範囲】
【請求項１】
内部空間に連通した開口部を有する容器状の灰皿と、
遊技機本体前面に設けられ、前記灰皿を前側に臨む取付部と、
前記取付部の左右からそれぞれ前方に延出し、前記灰皿を間に挟んだ状態で前記灰皿を支持する一対の支持部材とを備え、
一対の前記支持部材は、前記灰皿を前記開口部を上に向けた使用位置と、前記開口部を略下に向けた廃棄位置との間で、前記遊技機本体前面に沿って水平な回転軸周りに回転自在に支持している遊技機において、
前記灰皿は、左右外側面からそれぞれ突出するとともに同軸上に配置された軸部と、前記廃棄位置における上面の前記取付部側となる後部に形成された固定穴とを備え、
前記支持部材は、前記軸部が回転自在に挿入されるとともに、前記軸部を前後に移動自在に支持するガイド溝を備え、
前記取付部は、背面側に上下動自在に設けられた係止部材と、前記灰皿を挿入可能な取付開口部とを備え、
前記係止部材を前記取付開口部から前面側に露出するように下げた状態で、前記灰皿の前記取付部より後方への移動が規制され、
前記係止部材を上げた状態で、前記固定穴を上に向けた前記廃棄位置における前記灰皿の当該固定穴が設けられた後部を前記取付部の取付開口部内に挿入し、かつ、前記固定穴に前記係止部材を下げて挿入することで、前記灰皿の前後動及び回転移動を規制し、前記灰皿を、前記開口部を下に向けて灰皿として使用しない不使用位置に固定可能となっていることを特徴とする遊技機。
【請求項２】
前記使用位置となっている前記灰皿の上部の外周部に外側に向かって突出する鍔部が形成され、
前記使用位置となっている前記灰皿の鍔部の後部が前記取付部の取付開口部の上側縁部に係合して前記灰皿の使用位置から廃棄位置に向かう回転を阻止し、前記灰皿を前記使用位置に保持し、
かつ、前記鍔部の後部は、弾性変形により前記取付開口部の上側縁部との係合を解除可能となっていることを特徴とする請求項１に記載の遊技機。
【発明の詳細な説明】
【技術分野】
【０００１】
本発明は、パチンコ店などの遊技場に設置して使用される遊技機に関するものである。
【背景技術】
【０００２】
一般に、パチンコ遊技機やパチスロ等の各種遊技機には、その前面の下部に灰皿が設けられている。この灰皿は、遊技機に対して簡単に取り外れないように取り付けられているため、灰皿に溜まった灰を廃棄できるように、遊技機前面に沿うとともに水平な軸周りに回転可能とされている。また、使用時に不用意に灰皿が回転してしまうのを防止するために、大きな外力を加えないと灰皿が回転開始しないように、灰皿に、遊技機側に着脱可能に係合する仮係合部が設けられている。
【０００３】
ここで、遊技機に取り付けられた灰皿を遊技機から簡単に取り外せないことから、清掃等を遊技機側で行う必要があり、簡単に水洗い等ができない。そこで、上述のような遊技機が設置された遊技店では、遊技機が設置される島設備にタバコの灰を自動的に廃棄可能な灰皿の設備を設けたり、島設備の遊技機が設置された台部分に、一般的な灰皿を置いて、灰皿ごとタバコの灰を台から除去可能としたりする場合がある。
また、遊技店において、少なくともその一部を禁煙とすることも行われている。
【０００４】
上述のような場合に、遊技機に設けられた灰皿を遊技者に使用されると困ることから、遊技店側で灰皿に板状の蓋を設置していた。
また、遊技機に設けられた灰皿を使用状態から回転して裏返した不使用状態で固定可能とすることで、灰皿に蓋をしなくても、灰皿を使用不能とすることが提案されている（例えば、特許文献１参照）。
また、灰皿を遊技機本体に対して出没自在に配置し、使用する場合には遊技機本体から灰皿を突出させ、使用不能とする場合には遊技機本体に灰皿を収納することが提案されている（例えば、特許文献２参照）。
【０００５】
【特許文献１】特開平９−１６４２５７号公報
【特許文献２】特開平１０−２８６３６１号公報
【発明の開示】
【発明が解決しようとする課題】
【０００６】
ところで、特許文献１に示されるように、灰皿を裏返して使用不能とする場合に、遊技者が灰皿を回転させることにより、使用不能にした灰皿が使用状態とされ、灰皿を回転させてた遊技者や他の遊技者が灰皿を使用してしまう可能性がある。
この場合に、遊技店側で灰皿を清掃し、かつ、不使用状態に戻するという手間がかかってしまう。
そこで、灰皿の回転を阻止するようにロックする機構を設けることが考えられるが、ある程度強固に灰皿の回転を阻止するようになっていないと、遊技者のいたずらで、ロック機構を解除するか破損して、灰皿を使用状態とされてしまう可能性がある。
【０００７】
一方、灰皿を不使用状態とする場合に、遊技機本体に灰皿を収納してしまう構成となっていれば、遊技者が直接灰皿に触れることが困難な構成することも可能なので、遊技者のいたずらを防止できる。しかし、遊技機本体に灰皿を収納する大きな収納空間を形成する必要があるが、近年の遊技機は、液晶ディスプレイや、複数の制御基板などの多くの装置が内蔵されているため、内部に大きな収納空間を設けることが困難になっている。従って、灰皿を収納する空間を設けてしまうと、遊技機の各種装置の配置等が限定されてしまい、例えば、大きな液晶ディスプレイが使用できないなどの問題が生じる可能性があった。
【０００８】
本発明は、上記事情に鑑みて為されたもので、灰皿を裏返し、灰皿の一部を遊技機本体側に収納し、かつ、遊技機本体の内部側で灰皿を不使用状態にロックする機構を設けることで、不使用状態の灰皿が遊技者のいたずらで回転させられるのを確実に防止するとともに、遊技機本体に灰皿全体を収納する大きな収納空間を必要としないようにすることを目的とする。
【課題を解決するための手段】
【０００９】
請求項1に記載の発明は、内部空間に連通した開口部を有する容器状の灰皿と、
遊技機本体前面に設けられ、前記灰皿を前側に臨む取付部と、
前記取付部の左右からそれぞれ前方に延出し、前記灰皿を間に挟んだ状態で前記灰皿を支持する一対の支持部材とを備え、
一対の前記支持部材は、前記灰皿を前記開口部を上に向けた使用位置と、前記開口部を略下に向けた廃棄位置との間で、前記遊技機本体前面に沿って水平な回転軸周りに回転自在に支持している遊技機において、
前記灰皿は、左右外側面からそれぞれ突出するとともに同軸上に配置された軸部と、前記廃棄位置における上面の前記取付部側となる後部に形成された固定穴とを備え、
前記支持部材は、前記軸部が回転自在に挿入されるとともに、前記軸部を前後に移動自在に支持するガイド溝を備え、
前記取付部は、背面側に上下動自在に設けられた係止部材と、前記灰皿を挿入可能な取付開口部とを備え、
前記係止部材を前記取付開口部から前面側に露出するように下げた状態で、前記灰皿の前記取付部より後方への移動が規制され、
前記係止部材を上げた状態で、前記固定穴を上に向けた前記廃棄位置における前記灰皿の当該固定穴が設けられた後部を前記取付部の取付開口部内に挿入し、かつ、前記固定穴に前記係止部材を下げて挿入することで、前記灰皿の前後動及び回転移動を規制し、前記灰皿を、前記開口部を下に向けて灰皿として使用しない不使用位置に固定可能となっていることを特徴とする。
【００１０】
請求項１記載の発明によれば、回転して裏返した灰皿の後部（使用位置では先端部）を取付部の取付開口部から後方に移動し、裏返した灰皿の上面の後部（使用位置の下面の先端部）を挿入し、灰皿の固定穴が取付部より遊技機本体内に入った状態で係止部材を降下させて固定穴に挿入することで、灰皿の前後動と回転動がロックされる。
これにより、遊技者が灰皿を回転させて不使用位置から使用位置にすることが極めて困難となり、かつ、灰皿の固定穴が形成された一部だけを遊技機本体内に挿入すればよいので、遊技機本体内に灰皿全体を収納する大きな収納空間を確保する必要がない。
なお、支持部材を降下させておくことで、使用状態の灰皿を取付開口部内に押し込むことも困難となる。
【００１１】
請求項２に記載の発明は、請求項１に記載の遊技機において、
前記使用位置となっている前記灰皿の上部の外周部に外側に向かって突出する鍔部が形成され、
前記使用位置となっている前記灰皿の鍔部の後部が前記取付部の取付開口部の上側縁部に係合して前記灰皿の使用位置から廃棄位置に向かう回転を阻止し、前記灰皿を前記使用位置に保持し、
かつ、前記鍔部の後部は、弾性変形により前記取付開口部の上側縁部との係合を解除可能となっていることを特徴とする。
【００１２】
請求項２記載の発明によれば、使用位置にある灰皿が廃棄位置に回転してしまい、灰皿内の灰を撒き散らすようなことを防止するために、使用位置にある灰皿をある程度大きな外力がかからないかぎり、使用位置に保持するための保持機構が、使用位置にある灰皿の上部外周の鍔部の後部と、取付部の取付開口部の上側縁部とが係合することにより構成されているので、灰皿の外観上は、特に保持機構となる部材があるようには見えず、意匠性を向上することができる。
【発明の効果】
【００１３】
本発明の遊技機のよれば、灰皿を不使用状態とした際に、不使用状態の灰皿が遊技者のいたずらで回転させられるのを確実に防止するとともに、遊技機本体に灰皿全体を収納する大きな収納空間を必要とせず、遊技機本体に大きな収納空間を形成することで、大きな液晶ディスプレイを配置できない等のように遊技機の構成が制限されてしまうのを防止することができる。
【発明を実施するための最良の形態】
【００１４】
以下、図面を参照して、遊技機設置営業店等の場所に設置され、遊技媒体（例えば、遊技球やメダル等）の供給に基づいて遊技者に遊技を行わせる遊技機（例えば、弾球遊技機としてのパチンコ遊技機）の構成及び動作について説明する。
【００１５】
図１に示すパチンコ遊技機１は、後述の灰皿７およびその取付構造を除いて全体としては各種パチンコ機としての一般的な基本構成を有するもので、図示しないが矩形枠状で島設備に取り付けられる機枠と、機枠に扉状に開閉自在に取り付けられ、遊技盤が収容される収容部を備えた前面枠と、前面枠の前側に扉状に開閉自在に取り付けられたガラス枠２と、前面枠の下部に着脱自在に取り付けれ、ガラス枠２の下側の前面を構成する下部前面パネル３とを備えている。
【００１６】
ガラス枠２には、遊技盤の遊技球が流下する遊技領域を視認可能とするように開閉自在に透明板（二重ガラス）４が嵌め込まれている。また、前面枠のガラス枠２より下側の下部前面パネル３には、その中央の上部に遊技球を貯留するとともに前記遊技領域に遊技球を発射する発射装置に遊技球を供給する受皿５が備えられ、向かって右端側に回転式操作ハンドル６が備えられ、向かって左端側に灰皿７が備えられている。
また、受皿５上部の遊技者側となる前部には、貸球の払い出し等の操作を行うための操作部８が設けられている。
【００１７】
前記受皿５より左側の灰皿７が設けられる部分は、下部前面パネル３に対して上部が下側に倒れるように回動して開放可能なサイドパネル９が設けられている。
サイドパネル９には、灰皿７とともに遊技の演出で用いられ、遊技者が操作する演出ボタン１０や、受皿５内の遊技球を排出させるための排出スイッチ１１等が設けられている。
【００１８】
なお、この例においては、前面枠に着脱自在な下部前面パネル３に対してサイドパネル９が下部の水平な軸周りに回転して開閉する構造となっているが、例えば、下部前面パネル３全体もしくはサイドパネル９部分を含む一部が例えば垂直若しくは水平な軸周りに回転して開閉自在となっていてもよい。すなわち、パチンコ遊技機１の下部の前面を構成し、前記灰皿７を有する部分が開放可能で、灰皿７の取付部５１の裏面側を露出可能な構成となっていればよい。また、パチンコ遊技機１の前面を構成する部材（たとえば、この例ではサイドパネル９）を開放する構成において、周知のように開放に際しては鍵により施錠を解錠する必要がある構成となっていることが好ましい。
【００１９】
なお、パチンコ遊技機１本体前面の灰皿７が取り付けられる部分が前記サイドパネル９となり、サイドパネル９のほぼ前面を向いて平坦な部分に取付部５１が形成されている。また、取付部５１の上部には、上述の演出ボタン１０を有する演出操作部１４とされている。
また、サイドパネル９は、パチンコ遊技機１の左端に設けられているので、取付部５１の左側は、パチンコ遊技機１下部の側面を構成する側部１５となる。取付部５１の右側は、受皿５の左側を覆う受皿左カバー１６となっており、この受皿左カバー１６に前記排出スイッチ１１が配置されている。
【００２０】
また、サイドパネル９は、前記演出操作部１４および受皿左カバー１６を備えるサイドパネル本体９ａと、前記取付部５１とからなっている。また、サイドパネル本体９ａは、取付部５１の裏面側に配置される部分と、前記演出操作部１４と受皿左カバー１６と、側部１５の取付部５１より上側の部分とからなる。
従って、サイドパネル本体９ａの下部の前側に取付部５１が取り付けられることになり、取付部５１の後はサイドパネル本体９ａで覆われた状態となる。
【００２１】
次に、本発明に係る灰皿７とそれを支持するサイドパネル９とについて説明する。
図２から図１６に示すように、パチンコ遊技機１は、内部空間２１に連通した開口部２２を有する容器状の灰皿７と、パチンコ遊技機１本体前面に設けられ、灰皿７を前側に望む取付部５１と、この取付部５１の左右からそれぞれ前方に延出し、灰皿７を間に挟んだ状態で灰皿７を支持する一対の支持部材５２，５３（支持部）とを備える。
【００２２】
そして、一対の支持部材５２，５３は、灰皿７を開口部２２を上に向けた使用位置（図２に図示）と、開口部２２を斜め下に向けた廃棄位置（図３に図示）との間で、パチンコ遊技機１本体前面に沿って水平な回転軸回りに回転自在に支持している。灰皿７の前部を下方に下げるように９０度以上１８０度以内で回転させることで、灰皿７が廃棄位置となるが、ここでは１８０度回転した状態を廃棄位置とする。
【００２３】
また、灰皿７は、左右外側面からそれぞれ突出するとともに同軸上に配置された軸部２５（図７および図１０に図示）と、前記廃棄位置における上面の前記取付部側となる後部（使用位置における前部）に形成された固定穴２６（図３に図示）とを備えている。
また、灰皿７は、その上端部に、外側に向かってフランジ状に突出する鍔部２７が形成されるとともに、使用位置における前側上端部にタバコを置くための凹部２８が設けられている。
また、鍔部２７は、左右にそれぞれ突出する左右の鍔側部２９と、前側に僅かに突出する鍔前部３０と、後方に僅かに突出する鍔後部３１とを備えている。
【００２４】
そして、左右の鍔側部２９は、左右の支持部材５２，５３により後述するように案内され、灰皿７を開口部２２を真上に向けた使用位置から開口部２２を真下に向けた廃棄位置までの１８０度の範囲内で回転可能としている。すなわち、左右の鍔側部２９は、支持部材５２，５３（ガイド部５６，５６）に干渉されることで、灰皿７の回転範囲を前記１８０度内に規制している。
【００２５】
また、前記鍔後部３１は、その後部が略直角に屈曲して上方に突出し、この鍔後部３１の上方に突出した部分が、後述の取付部５１の取付開口部５４の上縁部に形成された飾部材５５に係合し、灰皿７を使用位置に保持するようになっている。なお、使用位置の灰皿７の前端部を下方に移動させるように灰皿７に大きな力をかけると鍔後部３１の屈曲した部分が弾性変形して、鍔後部３１と飾部材５５の係合が解除され、灰皿７を使用位置から廃棄位置に回転可能となる。
【００２６】
飾部材５５は、取付開口部５４の上側縁部を装飾するものであり、上側縁部の一部ということができる。
したがって、使用位置となっている灰皿７の上部の外周部に外側に向かって突出する鍔部２７が形成され、使用位置となっている灰皿７の鍔部２７の後部（鍔後部３１）が前記取付部の取付開口部５４の上側縁部（飾部材５５）に係合して灰皿７の使用位置から廃棄位置に向かう回転を阻止し、灰皿７を前記使用位置に保持し、かつ、鍔後部３１は、弾性変形により飾部材５５との係合を解除可能となっている
【００２７】
なお、飾部材５５は、取付開口部５４の上縁部で上縁より上側に形成された水平に延在するリブ状のものであり、図１３，１４に示すように、リブの下面に灰皿７の鍔後部３１の上端が当接することで係合するようになっている。なお、灰皿７の鍔後部３１が取付開口部５４の上縁に直接当接して係合するものとしてもよい。
【００２８】
また、灰皿７は、図１０に示すように、灰皿本体３３と、灰皿本体３３の上端部を除く外周部と底部を構成する灰皿カバー３４とからなっている。
灰皿本体３３は、灰皿７の前記鍔部２７を有して灰皿７の上端部となる部分と、前記内部空間２１を構成する容器部３５からなっている。
【００２９】
前記灰皿カバー３４は、灰皿本体３３の上端部より下側の容器部３５の周囲を覆うもの、すなわち、灰皿７の上端部より下の外周部と底部とを構成するもので、外周部の左右の外側面にそれぞれ前記軸部２５が形成され、底部の下面に前記固定穴２６が形成されている。
そして、灰皿本体３３には、上端部の下側の外周が小さくなることにより段差が形成され、この段差の部分で、灰皿本体３３の外周部分の上端部と、灰皿カバー３４の上端部が接合されるとともに、接合部分が段差のない円滑な平面となっている。
【００３０】
前記左右の支持部材５２，５３は、その内側面側に、それぞれ、灰皿７側に突出するガイド部５６、５６を備え、左右の支持部材５２，５３のガイド部５６，５６間の幅は、灰皿７の前記鍔部２７より下側の左右幅より僅かに広く、灰皿７の左右への移動を規制するようになっている。
また、ガイド部５６，５６は、図１２に示すように、支持部材５２，５３に沿って、支持部材５２，５３の延出方向、すなわち、取付部５１の前面に直交する方向に延在して形成される。そして、ガイド部５６，５６の先端は支持部材５２，５３の先端より僅かに後とされ、図７，８に示すように後端は支持部材５２，５３の後端と同じ位置とされるが、支持部材５２，５３の後端は、取付部５１の後述の取付開口部５４内を通って取付部５１の裏面側に僅かに突出している。
【００３１】
また、ガイド部５６，５６の上面と下面はほぼ水平な面とされ、先端面は半円状の円弧面とされている。そして、ガイド部５６，５６は、前記鍔部２７（左右の鍔側部２９，２９）の下面に接触して、灰皿７を前記灰皿７の開口部２２が上を向いた使用位置から、前記灰皿７の開口部２２が下を向いた廃棄位置まで案内する。すなわち、鍔部２７の下面（裏面）がガイド部５６，５６の先端部の円弧面に沿って移動することで灰皿７の回転移動を案内し、使用位置の灰皿７の先端（使用位置における遊技者側）が下がる方向と、廃棄位置の灰皿７の後端（廃棄位置における遊技者側）が上がる方向の回転移動が可能となっている。逆に、使用位置の灰皿７の後端が下がる方向への回転と、廃棄位置の灰皿７の後端が上がる方向の回転がガイド部５６，５６と鍔部２７により規制されている。したがって、灰皿７の使用位置から廃棄位置までの１８０度の回転は許可されるが、残りの１８０度の回転は阻止される。
【００３２】
また、ガイド部５６，５６には、水平に、支持部材５２，５３の延出方向、すなわち、取付部５１の前面に直交する方向にスリット５７，５７が形成されている。
前記スリット５７，５７は、ガイド部５６，５６の上下幅の中央部に形成され、かつ、ガイド部５６，５６の先端からスリット５７，５７の先端までの距離が、前記灰皿７の鍔部２７から軸部２５までの最短距離とほぼ同じ距離となっている。また、スリット５７，５７は、ガイド部５６，５６（支持部材５２，５３）の取付部５１の裏面側に達した後端まで形成され、ガイド部５６，５６の後端で開放された状態となっている。
【００３３】
このガイド部５６，５６のスリット５７，５７に灰皿７の左右の軸部２５，２５が挿入され、上述のように灰皿７の鍔部２７がガイド部５６，５６の上から先端を通って下に向かう外周面に沿って案内されることで、灰皿７は、スリット５７，５７の先端部を中心として軸部２５，２５が回転することにより、使用位置と廃棄位置との間で回転可能となる。
また、灰皿７は、スリット５７，５７に沿って後方に移動可能となるが、灰皿７が使用位置にある場合に、取付部５１における取付開口部５４の上縁より上に形成された飾部材５５と取付開口部５４の上縁との間の部分に、灰皿７の鍔後部３１の屈曲して上方に突出した部分が接触し、灰皿７が後方に移動できない状態となっている。
【００３４】
すなわち、灰皿７が使用位置にある場合には、灰皿７の鍔後部３１を有する鍔部２７が邪魔になって取付部５１の取付開口部５４内に入り込めない状態となっている。
一方、灰皿７を廃棄位置とした場合には、灰皿７が使用位置に対して１８０度回転して上下と前後が逆になっているため、鍔後部３１の上方に突出した部分が取付部５１から離れ、灰皿７の先端が上下逆の状態で取付部５１に臨み、鍔後部３１が邪魔になることがないことから、灰皿７の先端部を取付開口部５４に挿入可能となっている。
【００３５】
なお、取付開口部５４内の空間の前後幅は取付部５１の後にサイドパネル本体９ａがあることにより短いものとなっており、灰皿７の一部となる先端部しか挿入できない状態となっている。
また、後述のようにサイドパネル９を閉塞した状態では、後述の係止部材６３が取付部５１の裏面側で取付開口部５４の左右の中央部を閉塞するように配置され、取付開口部５４に廃棄位置となった灰皿７の先端部が挿入されるのを阻止するようになっている。
【００３６】
したがって、使用状態となっている灰皿７が取付部５１の取付開口部５４内に挿入されることはない。そして、取付開口部５４に阻害されることなく、灰皿７を使用位置から廃棄位置まで回転することができる。
前記取付部５１は左右から前方にそれぞれ延出する支持部材５２，５３の間に取付開口部５４が形成されている。
取付開口部５４は、取付部５１において、左右の支持部材５２，５３間に形成されるとともに、前記支持部材５２，５３のスリット５７，５７に連通し、スリット５７，５７部分で開放した状態となっている。
【００３７】
また、上述のように取付開口部５４の上縁の高さは、灰皿７の鍔後部３１の上方に突出する部分より低くなっている。また、取付開口部５４の大きさは、灰皿７の上端部より低くなる灰皿カバー３４が挿通可能な大きさとなっているとともに、上下逆の廃棄位置の灰皿７の先端部（廃棄位置において取付部５１側）を挿入可能な大きさとなっている。そして、後述のように灰皿７を取り付ける際に、図７，８に示すように、灰皿本体３３と、灰皿カバー３４とを分割した状態とし、かつ、サイドパネル本体９ａから取付部５１を取り外した状態で、取付部５１の裏面側から、左右のスリット５７，５７に、その後端となる開放端側から軸部２５，２５を挿入して灰皿カバー３４を取付部５１の前面側に移動可能となっている。
【００３８】
また、取付部５１の裏面上端部の左右の支持部材５２，５３の中央となる部分には、上下に並んで２つのボス６１，６１が後方に突出して設けられるとともに、これらボス６１，６１の左右にボス６１，６１と離間して、それぞれ上下に延在するリブ６２，６２が形成されている。２つのボス６１，６１の並び方向と、リブ６２，６２の延在方向は、ほぼ鉛直方向となっている。
【００３９】
そして、これらボス６１，６１とリブ６２，６２が後述のように灰皿７を不使用状態に固定する係止部材６３を上下動自在とする案内部材となっている。前記リブ６２，６２同士の間に上下に長い係止部材６３の後端部が入り込んだ状態となり、かつ、係止部材６３の中央に設けられた上下に長い長穴５８にボス６１，６１が入り込んだ状態となることにより、係止部材６３の左右への移動を規制した状態で、上下に移動自在としている。
【００４０】
前記係止部材６３は、中央部に設けられた前記長穴５８と、上端部に設けられるとともに後部側（パチンコ遊技機１の内部側）に向かって突出する操作片５９と、前記灰皿７の下面の固定穴２６に挿入される挿入部６０とを備える。
長穴５８は、取付部５１裏面に形成されたボス６１，６１の直径とほぼ同様の左右幅を有し、その上下長さは、２本のボス６１，６１が占める上下長さより長くなっている。そして、係止部材６３は、２本のボス６１，６１に沿って係止部材６３の下端が取付部５１の取付開口部５４の上縁と同じもしくは上となる高さ位置から、後述のように廃棄位置の灰皿７の固定穴２６の底面に接触する高さ位置までの間で、上下動自在となるように、上下動の範囲を規制された状態でボス６１，６１に案内されている。
【００４１】
また、係止部材６３の後部は、取付部５１裏面の２本のリブ６２，６２の間に嵌合し、リブ６２，６２により上下に案内されるようになっている。
また、取付部５１の裏面側には、図５，６に示すように、サイドパネル本体９ａが配置され、サイドパネル本体９ａの取付部５１と前後に重なる部分の前記係止部材６３の操作片５９の上下動範囲には、操作開口部９ｂが形成され、操作片５９は、この操作開口部９ｂからサイドパネル本体９ａの裏面側に突出した状態となっている。
【００４２】
また、係止部材６３のサイドパネル本体９ａの開口部から露出していない部分は、サイドパネル本体９ａと、取付部５１との間に挟まれた状態となり、係止部材６３がボス６１，６１から外れないように保持された状態となっている。
また、係止部材６３の操作片５９は、サイドパネル本体９ａの操作開口部９ｂからサイドパネル９の裏面側に突出した状態となる。
【００４３】
また、サイドパネル９は、パチンコ遊技機１本体の下部に上下に延在して取り付けられた取付金物６４に下端部をパチンコ遊技機１本体の前面に平行で水平な回転軸回りに９０度の範囲で回転可能に取り付けられている。これにより、サイドパネル９は、パチンコ遊技機１前面下部に取り付けられた状態と、前側に倒れるように回転して前面を下に向けた開放した状態との間で変換可能となっている。また、開放した状態とするには、パチンコ遊技機１の周知の施錠を解錠する必要がある。
【００４４】
そして、この取付金物６４には、サイドパネル９を閉じた状態で、前記サイドパネル９の後方側に突出する係止部材６３の操作片５９の位置に、操作制限部材６６が設けられている。操作制限部材６６は、前方に突出する突出部６７を有している。
そして、図１３〜１６の各（ｂ）に示すように操作制限部材６６の突出部６７は、操作片５９の位置が前記範囲で所定の高さ位置より下となっている場合、すなわち、操作片５９が取付開口部５４の上縁より下方に所定距離以上延出し、使用状態でかつ廃棄位置の灰皿７の取付開口部５４内への進入を阻止している場合、もしくは、不使用状態で、灰皿７の先端部裏面の固定穴２６に挿入されるとともに固定穴２６の底面に当接して、不使用状態の灰皿７の前後動を規制している場合には、操作片５９の先端面と接触しない高さ位置で、かつ、操作片５９がそれより高い場合に操作片５９の先端面と接触する位置となっている。
【００４５】
そして、操作片５９の先端面と操作制限部材６６の突出部６７が接触していない場合には、操作片５９の上側に操作制限部材６６の突出部６７が入り込み、サイドパネル９を閉塞することが可能となるが、操作片５９の先端面と突出部６７の先端面とが接触すると、サイドパネル９を閉塞する際に、サイドパネル９が完全に閉塞された状態となる前に、所定位置より上にある操作片５９と操作制限部材６６が当接し、それ以上サイドパネル９を閉塞方向に移動できない状態となる。すなわち、操作片５９が上述のように所定高さ位置より下となっていない場合、すなわち所定高さ位置より高い場合に、操作制限部材６６によりサイドパネル９を閉塞できない状態となる。
【００４６】
したがって、例えば、灰皿７を使用状態と非使用状態との間で変換する場合は、灰皿７の取り付けを行う場合に、係止部材６３を上げた後に、灰皿７を使用状態もしくは不使用状態とした際に、係止部材６３を下げ忘れたような場合は、サイドパネル９を閉めることができず、作業を完了できない。
【００４７】
これにより、作業者の係止部材６３のセットのし忘れを防止でき、灰皿７が使用状態で廃棄位置となった際に、灰皿７の先端部を取付部５１の取付開口部５４内に挿入可能となったり、灰皿７が不使用状態となった場合に、遊技者により使用状態に変換できる状態になったりすることが防止される。
特に、灰皿７を不使用状態とした際に、係止部材６３の下げ忘れを確実に防止できることで、確実に不使用状態の灰皿７を使用状態とすることを防止できる。
【００４８】
次に、灰皿７の取付方法および灰皿７の使用状態と非使用状態との間での変換方法を説明する。
灰皿７の取り付けは、例えば、パチンコ遊技機１の製造時に、サイドパネル９がパチンコ遊技機１本体に取り付けられる前で、かつ、サイドパネル本体９ａに取付部５１が取り付けられる前に行われる。
図７，８に示すように取付部５１の裏面側から灰皿カバー３４を、取付部５１の左右の支持部材５２，５３のガイド部５６，５６の後方が開放されたスリット５７，５７に左右の軸部２５，２５を挿入しながら、取付部５１の裏面から取付開口部５４を通して前面側に押し出す。この際には、係止部材６３は上に上げられた状態となっている。
【００４９】
次いで、図９に示すように、取付部５１の前面側に出た灰皿カバー３４をその軸部２５がスリット５７，５７の前端部に至るまで当該軸部２５をスリット５７，５７に案内させて前方に移動させる。
次いで、図８に示す係止部材が上がった状態から係止部材６３をその操作片５９を用いて上述のように制限された範囲の最も下方に下げることにより、灰皿カバー３４が、取付開口部５４から取付部５１の裏面側に戻らないようにする。なお、灰皿カバー３４単体の場合に、鍔部２７が無いため、上述のように取付開口部５４を通過可能である。
【００５０】
この状態で、灰皿カバー３４は使用状態の灰皿７の位置となる。この位置で、図９〜１１に示すように、開口部を上に向けた灰皿カバー３４の内部空間に灰皿本体３３の容器部３５を挿入して灰皿カバー３４と灰皿本体３３をたとえばビス止めする。
【００５１】
次に、灰皿７が取り付けられた取付部５１をサイドパネル９に取り付ける。そして、サイドパネル９を取付金物６４に回転自在に取り付ける。
また、取付金物６４に操作制限部材６６を取り付ける。
そして、図１３，１４に示すように、サイドパネル９を上述の閉めた状態としてパチンコ遊技機１を施錠して灰皿の取り付けが終了する。なお、これは例えばパチンコ遊技機１の製造時の作業であるが、灰皿交換時にも取付部５１をサイドパネル９から取り外すことで上述と同様の作業で灰皿７の交換が可能となる。
また、製造時に灰皿７を非使用状態としてもよく、非使用状態とする際には、後述の灰皿の使用状態から非使用状態への変換方法の場合と同様に灰皿を非使用状態とすればよい。
【００５２】
灰皿７を使用状態から非使用状態とする場合には、図２に示すように使用状態でかつ使用位置となっている灰皿７を回転させて、図３に示すように廃棄位置とする。
この際には、灰皿７の鍔後部３１の上方に突出する部分が、取付部５１の取付開口部５４の上縁の上に設けられた飾部材５５に係合しているので、灰皿７の先端部（前端部）を強く押すことにより、鍔後部３１の弾性変形により、鍔後部３１と飾部材５５との係合を解除し、廃棄位置側に回転開始させる。
【００５３】
また、サイドパネル９を開放状態とし、図５，６に示すように、係止部材６３を操作片５９を操作して取付部５１の取付開口部５４の上縁より上に移動させる。
次いで、図４に示すように、廃棄位置となっている灰皿７を後方に押し込んで、灰皿７の使用状態における先端部（前端部）すなわち、廃棄状態における後端部を取付部５１の取付開口部５４内に挿入する。この際に、取付部５１の取付開口部５４の後方にサイドパネル本体９ａがあるために、灰皿７の先端部がサイドパネル本体９ａに当接することになる。この位置が灰皿７の不使用位置となる。
【００５４】
したがって、灰皿７の先端部は、僅かしか取付開口部５４内に挿入できないが、灰皿７の先端部裏面に設けられた固定穴２６は、取付部５１を超えて取付部５１の裏面側に移動可能となっている。
そして、廃棄状態の灰皿７の先端部がサイドパネル本体９ａに当接するまで、灰皿７を取付開口部５４内に挿入すると、固定穴２６が取付部５１の裏面側の上方の移動させた状態の係止部材６３の真下に配置されるように、固定穴２６の位置が決められている。
【００５５】
そして、図１６（ｂ）に示すように、係止部材６３を固定穴２６の底面に当接するまで下げ、灰皿７の前後移動を規制する。これにより、灰皿７は、廃棄位置に裏返されてかつ廃棄位置より少し後退した不使用位置に移動できない状態に固定されたことになる。
そして、サイドパネル９を閉じることで、係止部材６３の操作片５９を動かせない状態となり、灰皿７が開口部２２を下に向けて灰皿７として使用できない状態に固定される。
【００５６】
また、この不使用位置に固定された不使用状態の灰皿７を使用状態とする場合には、不使用状態にする場合とほぼ逆の手順で行えばよく、例えば、図６に示すように、サイドパネル９を開放して、係止部材６３を移動可能な範囲内で最も上方に移動し、先端部が取付開口部５４内に挿入された状態の不使用位置の灰皿７を引き出して、図３に示すように、灰皿７全体が取付部５１の前面側となった廃棄位置とする。
そして、再び、係止部材６３を最も下方に移動し、廃棄位置の灰皿７が不使用位置に移動できないようにする。
【００５７】
次いで、灰皿７を廃棄位置から使用位置に１８０度回転させるとともに、灰皿７の鍔後部３１の上端を取付部５１の取付開口部５４の上縁部の飾部材５５に係合した状態とし、サイドパネル９を閉じて、パチンコ遊技機１を施錠する。
これにより、使用状態の灰皿７が不用意に廃棄位置側に回転しないように使用位置に保持され、かつ、廃棄位置に回転した際に灰皿７の先端部が取付開口部５４に露出する係止部材６３により取付開口部５４内に挿入されることが阻止される。
【００５８】
以上のように、この例のパチンコ遊技機１によれば、使用状態の際に灰皿７を使用位置に保持する部材が使用位置の灰皿７の上端部の鍔部２７の後部に形成された鍔後部３１となっていることで、灰皿７を上下と前後が逆になるように回転して不使用位置とした場合に、鍔後部３１が遊技者に向かう前側となっても、灰皿７の下側となるとともに、灰皿７の全幅に渡って左右に延在して配置されていることで、遊技者にデザイン的に違和感を与えることがなく、灰皿７の意匠性が低下することがない。
【００５９】
また、不使用位置の灰皿７は、パチンコ遊技機１の前面より後方の裏面側で操作が可能な係止部材６３により固定されるので遊技者が不使用位置の灰皿７を使用可能な状態とするいたずらが防止される。
また、灰皿７の係止部材６３に係止される部分も取付開口部５４からパチンコ遊技機１の内部側に挿入された部分となるので、遊技者が触れることができず、遊技者に灰皿７と係止部材６３との係合を無理やり外されるようなことも防止できる。
【００６０】
さらに、係止部材６３の灰皿７への係止をし忘れるようなことがあると、サイドパネル９を閉じる際に、係止部材６３の後方に突出する操作片５９に操作制限部材６６が接触し、かつ、操作片５９に操作制限部材６６が接触した段階でサイドパネル９をそれ以上閉じる方向に移動できない状態となり、サイドパネル９を閉じて作業を完了することができない。
従って、不使用状態とされた灰皿７に係止部材６３を係止させないことにより、遊技者によって灰皿７を不使用状態から使用状態に変換できる場合に、そのままサイドパネル９を閉じてしまい、不使用状態の灰皿７を容易に使用状態に変換可能な状態のままとされるのを確実に防止することができる。
【００６１】
また、灰皿７の一部をパチンコ遊技機１内に収納する構成であるが、一部だけを収納する構成なので、パチンコ遊技機１内に灰皿７全体用の大きな収容空間を確保する必要がなく、また、灰皿７の一部をパチンコ遊技機１本体内に収納して係止することで、上述のように遊技者のいたずらを効果的に防止することができる。
【００６２】
この実施形態では、パチンコ遊技機１を例としてあげたが、本発明は、灰皿を有する全ての遊技機に適用可能であり、パチンコ遊技機１を含む各種弾球遊技機や、パチスロを含むスロットマシンといった回胴式遊技機にも適用可能である。
【００６３】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【００６４】
【図１】本発明の実施の形態に係るパチンコ遊技機を示す正面図である。
【図２】前記パチンコ遊技機の使用位置の灰皿が取り付けられたサイドパネルを示す斜視図である。
【図３】廃棄位置の灰皿が取り付けられたサイドパネルを示す斜視図である。
【図４】不使用位置の灰皿が取り付けられたサイドパネルを示す斜視図である。
【図５】係止部材が下方にあるサイドパネルの背面を示す斜視図である。
【図６】係止部材が上方にあるサイドパネルの背面を示す斜視図である。
【図７】パチンコ遊技機の取付部に灰皿カバーを取り付ける方法を説明するための取付部、灰皿カバーおよび係止部材を示す斜視図である。
【図８】パチンコ遊技機の取付部に灰皿カバーおよび係止部材を取り付けた状態を示す斜視図である。
【図９】取付部に灰皿カバーを取り付ける方法を説明するための取付部、灰皿本体および灰皿カバーの前面側を示す斜視図である。
【図１０】灰皿本体および灰皿カバーを示す斜視図である。
【図１１】取付部に取り付けられた灰皿を示す斜視図である。
【図１２】取付部のみを示す斜視図である。
【図１３】灰皿が使用状態となったサイドパネルの正面図と、そのＤ−Ｄ矢視断面図である。
【図１４】灰皿が使用状態となったサイドパネルの正面図と、そのＤ−Ｄ矢視断面図である。
【図１５】灰皿が不使用状態となったサイドパネルの正面図と、そのＤ−Ｄ矢視断面図である。
【図１６】灰皿が不使用状態となったサイドパネルの正面図と、そのＤ−Ｄ矢視断面図である。
【符号の説明】
【００６５】
１        パチンコ遊技機（遊技機）
７        灰皿
２１      内部空間
２２      開口部
２５      軸部
２６      固定穴
２７      鍔部
２９      鍔側部
３１      鍔後部
５１      取付部
５２      支持部材（支持部）
５３      支持部材（支持部）
５４      取付開口部
５６      ガイド部
６３      係止部材
【図１】
2008142422.tif 000003
【図２】
2008142422.tif 000004
【図３】
2008142422.tif 000005
【図４】
2008142422.tif 000006
【図５】
2008142422.tif 000007
【図６】
2008142422.tif 000008
【図７】
2008142422.tif 000009
【図８】
2008142422.tif 000010
【図９】
2008142422.tif 000011
【図１０】
2008142422.tif 000012
【図１１】
2008142422.tif 000013
【図１２】
2008142422.tif 000014
【図１３】
2008142422.tif 000015
【図１４】
2008142422.tif 000016
【図１５】
2008142422.tif 000017
【図１６】
2008142422.tif 000018